(57)【要約】【課題】  ＰＣＢが混入した受・配電用電気機器の保管・処理施設において、ＰＣＢ混入品の安全保管と、その処理に伴う安全作業をサポートするための入退出管理システム及びその方式を提供する。【解決手段】  入所認証判定をする入所許可装置１０と、入室許可区分別服装判定をする区分別服装判定装置２０と、所定の設備の安全点検を判定する安全点検判定をし、点検結果から警報を出力する退所許可装置３０と、入所許可装置１０及び区分別服装判定装置２０からの信号、又は退所許可装置３０からの信号に応じてドアを開閉するドア開閉し、ドアの開閉状態を記録する入退出ドア装置４０とから構成される。【選択図】      図１
2006318314.tif 000002
【特許請求の範囲】
【請求項１】
業務の安全を支援するための入退出管理システムにおいて、
入所時の認証カードを読み取る入所認証読み取り手段と、通信回線を介してデータセンタから送られてくる入所許可区分別認証データを蓄積する認証データ蓄積手段と、該読み取りデータと該認証データとを照合し、入所認証判定をする入所認証判定手段と、所望のデータの表示手段とから成る入所許可装置と、
所内の各室を安全基準で区分けし、作業者のレベルに対して割り当てられた入所許可区分に応じた入所許可区分別服装のデータを取得する服装データ取得手段と、該入所許可区分別服装の情報を蓄積する服装認識情報蓄積手段と、該入所許可区分別服装の服装データと該入室許可区分別服装の蓄積情報とを照合し、入室許可区分別服装判定をする服装判定手段とから成る区分別服装判定装置と、
退所時の認証カードを読み取る退所認証読み取り手段と、所定の設備の撮影手段と、該所定の設備の撮影データを記録する撮影データ蓄積手段と、該所定の設備の安全点検情報を蓄積する安全点検情報蓄積手段と、該読み取りデータと前記認証データとを照合し、且つ該撮影データと該安全点検の蓄積情報とを照合し、所定の設備の安全点検を判定する安全点検判定手段と、該安全点検判定手段の点検結果から警報を出力する警報手段とから成る退所許可装置と、
前記入所許可装置及び前記区分別服装判定装置からの信号、又は前記退所許可装置からの信号に応じてドアを開閉するドア開閉手段と、ドアの開閉状態を記録する入退出ログ蓄積手段とから成る入退出ドア装置とから構成され、
前記入所許可装置及び前記区分別服装判定装置からの入所許可信号を受けた時と、前記退所許可装置から退所許可信号を受けた時のみ前記入退出ドア装置がドアを開くことを特徴とする入退出管理システム。
【請求項２】
前記入退出ログ蓄積手段と前記撮影データ蓄積手段とは、入退出アクセスがあるごとに全てのデータを蓄積することを特徴とする請求項１に記載の入退出管理システム。
【請求項３】
前記区分別服装判定装置は、服装のデザイン形状、ロゴマーク、色彩、あるいは服装に個別に着装されたＩＣタグにより、あるいはそれらの任意の組み合わせにより前記入所許可区分別服装の判定を行うことを特徴とする請求項２に記載の入退出管理システム。
【請求項４】
業務の安全を支援するための入退出管理方法において、
入所時の認証カードの読み取りデータと、入所許可区分別認証データの蓄積データとから、該入所許可区分別認証の判定を行い、入所許可信号を出力する入所許可ステップと、
取得した入所許可区分別の服装データと、該入所許可区分別服装の蓄積情報とから、入所許可区分別服装の判定を行い、区分別服装判定信号を出力する区分別服装判定ステップと、
退所時の認証カードの読み取りデータと、入所許可区分別認証データの蓄積データと、所定の設備の撮影データと、安全点検の蓄積情報とから安全点検の判定を行い、退所許可信号を出力する退所許可ステップと、
前記入所許可信号及び前記区画別服装判定信号又は退所許可信号に応じてドアを開閉するドア開閉ステップと、
前記映像を記録する撮影蓄積ステップと、
前記安全点検の結果から警報を出力する警報出力ステップと、
ドアの開閉状態を記録する入退出ログ蓄積ステップと、
所望のデータを表示するステップと、
から成ることを特徴とする入退出管理方法。
【発明の詳細な説明】
【技術分野】
【０００１】
本発明は、有害化学物質の保管管理業務を遂行するための業務管理システムであって、詳しくは、ＰＣＢ（ポリ塩化ビフェニール）の保管・処理施設において安全保管と安全作業をサポートするための入退出管理システム及びその方法に関する。
【背景技術】
【０００２】
従来において、ＰＣＢはその優れた絶縁特性により、受電設備や配電用のトランスに広く使われてきた。しかし人体への有害な影響が明らかと成り、１９７２年以降製造が禁止され、保管が義務付けられた。ＰＣＢは非常に安定であるため処理が難しく、燃焼による処理においてはダイオキシンを発生するため、廃棄が進まず保管されたままになっている。また、ＰＲＴＲ法（特定化学物質管理促進法）の施行により、ＰＣＢの保管、処理における管理の徹底が、一層要求されることとなり、更に政府の指導により、２００１年７月１５日から起算して１５年以内にＰＣＢ廃棄物を自ら処分するか、もしくは処分を他人に委託しなければならなくなった。
【０００３】
このため電力会社においては、対象機器の分解、解体およびＰＣＢの処理を実施するプラントを設け、保管及び処理を行うことが必要となった。実施に当たっては、処理作業を安全に行う同時に、長期保管事態によるトランスやコンデンサなどの部材の劣化に伴うＰＣＢの外部漏出、及び地震、火災など非常時に対する安全確保も重要となる。従って、作業者の安全性と保管品の安全性とを一元的に管理するシステムが必要となる。またプラントは安全度に応じて、立ち入り許可区画が区分されているため、プラントに立ち入る従業員は、作業内容により教育され、立ち入り区画が制限される。特許文献１において、訪問者の受付業務に関する入退場管理システムについての記載がされている。
【特許文献１】特開２００４−８６３１６号公報
【発明の開示】
【発明が解決しようとする課題】
【０００４】
本発明は、このような問題を解決するためになされたものであり、その目的は、ＰＣＢが混入した受・配電用電気機器の保管・処理施設において、ＰＣＢ混入品の安全保管と、その処理に伴う安全作業をサポートするための入退出管理システム及びその方法を提供する。
【課題を解決するための手段】
【０００５】
本発明の入退出管理システムは、業務の安全を支援するための入退出管理システムにおいて、
入所時の認証カードを読み取る入所認証読み取り手段と、通信回線を介してデータセンタから送られてくる入所許可区分別認証データを蓄積する認証データ蓄積手段と、該読み取りデータと該認証データとを照合し、入所認証判定をする入所認証判定手段と、所望のデータの表示手段とから成る入所許可装置と、
所内の各室を安全基準で区分けし、作業者のレベルに対して割り当てられた入所許可区分に応じた入所許可区分別服装のデータを取得する服装データ取得手段と、該入所許可区分別服装の情報を蓄積する服装認識情報蓄積手段と、該入所許可区分別服装の服装データと該入室許可区分別服装の蓄積情報とを照合し、入室許可区分別服装判定をする服装判定手段とから成る区分別服装判定装置と、
退所時の認証カードを読み取る退所認証読み取り手段と、所定の設備の撮影手段と、該所定の設備の撮影データを記録する撮影データ蓄積手段と、該所定の設備の安全点検情報を蓄積する安全点検情報蓄積手段と、該読み取りデータと前記認証データとを照合し、且つ該撮影データと該安全点検の蓄積情報とを照合し、所定の設備の安全点検を判定する安全点検判定手段と、該安全点検判定手段の点検結果から警報を出力する警報手段とから成る退所許可装置と、
前記入所許可装置及び前記区分別服装判定装置からの信号、又は前記退所許可装置からの信号に応じてドアを開閉するドア開閉手段と、ドアの開閉状態を記録する入退出ログ蓄積手段とから成る入退出ドア装置とから構成され、
前記入所許可装置及び前記区分別服装判定装置からの入所許可信号を受けた時と、前記退所許可装置から退所許可信号を受けた時のみ前記入退出ドア装置がドアを開くことを特徴とする。
【０００６】
前記入退出管理システムの前記入退出ログ蓄積手段と前記撮影データ蓄積手段とは、入退出アクセスがあるごとに全てのデータを蓄積することを特徴とする。
【０００７】
前記入退出管理システムの前記区分別服装判定装置は、服装のデザイン形状、ロゴマーク、色彩、あるいは服装に個別に着装されたＩＣタグにより、あるいはそれらの任意の組み合わせにより前記入所許可区分別服装の判定を行うことを特徴とする。
【０００８】
本発明の入退出管理方法は、業務の安全を支援するための入退出管理方法において、
入所時の認証カードの読み取りデータと、入所許可区分別認証データの蓄積データとから、該入所許可区分別認証の判定を行い、入所許可信号を出力する入所許可ステップと、
取得した入所許可区分別の服装データと、該入所許可区分別服装の蓄積情報とから、入所許可区分別服装の判定を行い、区分別服装判定信号を出力する区分別服装判定ステップと、
退所時の認証カードの読み取りデータと、入所許可区分別認証データの蓄積データと、所定の設備の撮影データと、安全点検の蓄積情報とから安全点検の判定を行い、退所許可信号を出力する退所許可ステップと、
前記入所許可信号及び前記区画別服装判定信号又は退所許可信号に応じてドアを開閉するドア開閉ステップと、
前記映像を記録する撮影蓄積ステップと、
前記安全点検の結果から警報を出力する警報出力ステップと、
ドアの開閉状態を記録する入退出ログ蓄積ステップと、
所望のデータを表示するステップと、から成ることを特徴とする。
【発明の効果】
【０００９】
本発明の入退出管理システム及びその方法によれば、ＰＣＢが混入した受・配電用電気機器の保管・処理施設において、ＰＣＢ混入品の安全保管と、その処理に伴う安全作業をサポートするための入退出管理システム及びその方法を提供することが可能となる。
【発明を実施するための最良の形態】
【００１０】
本発明による、入退出管理システムの実施の形態について、図を用いて説明する。図１は、本発明の入退出管理システムのハードウエア構成を示すブロック図である。図１に示すように、入退出管理システム１００は入所許可装置１０、区分別服装判定装置２０、退所許可装置３０及び入退出ドア装置４０から構成され、通信回線を介して本社のデータセンタと接続されている。
【００１１】
入退出管理システム１００の入所許可装置１０は、入所認証読み取り手段１１、入所認証判定手段１２、認証データ蓄積手段１３及びデータ表示手段１４から構成される。区分別服装判定装置２０は、服装データ取得手段２１、服装判定手段２２、服装認識情報蓄積手段２３から構成される。退所許可装置３０は、退所認証読み取り手段３１、設備撮影手段３２、安全点検判定手段３３、安全点検情報蓄積手段３４、撮影データ蓄積手段３５、及び警報装置３６から構成される。入退出ドア装置４０は、ドア開閉判定手段４１および入退出ログ蓄積手段４２から構成される。
【００１２】
入退出ドア１付近に設置されている入所許可装置１０の入所認証読み取り手段１１は、ＩＤカードリーダから成り、入所に当たって挿入されるＩＤカードの認証データを読み、入所認証判定手段１２へ送信する。入所認証判定手段１２は、ＣＰＵから成り、記憶ディスクから成る認証データ蓄積手段１３からＩＤ番号に相当する認証データを読み出し、受信したＩＤカードの認証データと照合を取り、入所許可の判定をする。認証データ蓄積手段１３には、事前にデータセンターから認証データが送られ、蓄積されている。入所許可であれば、入所許可信号を後述するドア開閉判定手段４１へ送信する。入所不許可であれば、入所認証読取装置１１に付帯する（表示せず）表示画面に入所不許可を表示する。データ表示手段１４は、ディスプレイ及びキーボードから成り、キーボード入力により、認証データ蓄積手段１３あるいは後述する服装認識情報蓄積手段２３、入退出ログ蓄積手段４２、安全点検情報蓄積手段３４及び撮影データ蓄積手段３５から所望のデータを表示する。次に、認証データについて説明する。
【００１３】
図２は、ＩＤカード、及びデータセンタから通信回線を介して送られ入所認証判定手段１２のＣＰＵにより認証データ蓄積手段に記録される、危険物取り扱い作業を行うため必要なＩＤ情報である。ＩＤ情報は、ＩＤ番号、氏名、所属番号、視覚情報、検収情報、及び入所許可区分からなる。例えばＩＤ番号０１２３４５は、電気取扱主任１、２級と高圧ガス取扱免許を取得しており、研修においては、ＰＣＢ基礎知識、保管研修、処理研修及び運搬取扱研修を終えている。従って、図１に示すＰＣＢ濃度低の対象機器の分解、解体およびＰＣＢの処理を実施する保管・処理室ａ、ＰＣＢ濃度中の対象機器の分解、解体およびＰＣＢの処理を実施する保管・処理室ｂ、ＰＣＢ濃度高の対象機器の分解、解体およびＰＣＢの処理を実施する保管・処理室ｃ、および長期保管室ｄのいずれにも入室し、監督及び実働ができる入所許可区分Ａとなっている。
【００１４】
ＩＤ番号１２３４５６は、クレーン操作技術者免許を持たずＰＣＢ運搬取扱研修も終了していないため、ＰＣＢの処理を専門に行うため室ａ、ｂおよびｃに入室可能な入所許可区分Ｂとなっている。ＩＤ番号２３４５６７は、クレーン操作技術者免許のみを取得し、ＰＣＢ処理研修を終了していないため、対象機器の運搬のために室ｄのみ入室可能な入所許可区分Ｄとなっている。従って、記憶ディスクから成る認証データ蓄積手段１２からＩＤ番号に相当する認証データを読み出し、ＩＤカードリーダから受信したＩＤカードの認証データと照合を取り、入所許可の判定をする。また室ａ〜ｄの各室間の出入りに関しては、各ドアに同様の認証読み取り手段を設け、本発明の入退出管理システム１００と連動させても良い。
【００１５】
図１に戻り、ロッカールームの所定の場所に設置されている区分別服装判定装置２０の服装データ取得手段２１は、撮影装置または無線装置から成り、入所許可区分により決められた所定の服装のデザイン形状、色彩、ロゴマークあるいは装着されたＩＣタグにより、又はその組み合わせにより、所定の服装データを取得し服装判定手段２２へ送信する。服装判定手段２２は、記憶ディスクから成る服装認識情報蓄積手段２３から入所許可区分別服装のデータを読み出し、受信した服装データと照合し、指定された服装を着用しているかを判定する。服装認識情報蓄積手段２３には、事前にデータセンターから入所許可区分別服装のデータが送られ、蓄積されている。着用が正しければ、入所許可信号を後述するドア開閉判定手段４１へ送信する。正しくなければ、入所認証読取装置１１に付帯する（表示せず）表示画面に入所不許可を表示する。
【００１６】
入退出ドア２、３付近に設置されている退所許可装置３０の退所認証読み取り手段３１は、ＩＤカードリーダから成り、出所に当たって挿入されるＩＤカードの認証データを読み、安全点検判定手段３３へ送信する。設備撮影手段３２は、撮影装置から成り、所定の保管設備及び処理設備の安全点検箇所である電源スイッチ、照明、バルブ操作位置、ＰＣＢ混入の貯蔵油タンクの油量等を撮影し、撮影データを安全点検判定手段３３へ送信する。
【００１７】
安全点検判定手段３３は、認証データ蓄積手段１３及び安全点検情報蓄積手段３４から認証データ及び安全点検情報情報を読み出し、受信した認証データ及び撮影データと照合し、退出可能かを判断する。安全点検情報蓄積手段３４には、事前にデータセンターから安全点検情報が送られ、蓄積されている。退出可能であれば、退所許可信号を後述するドア開閉判定手段４１へ送信する。可能でなければ、退所認証読取装置３１に付帯する（表示せず）表示画面に退所不許可を表示し、退所不許可の原因が安全点検判定によるものであれば、警報装置３６に警報信号を送り、保管設備又は処理設備の該当箇所に警報を表示させる。また安全点検判定手段３３は、設備撮影手段３２から送信された全ての撮影データを、撮影データ蓄積手段３５に記録する。
【００１８】
入退出ドア装置４０のドア開閉判定手段４１は、入所認証判定手段１２、服装判定手段２２及び安全点検判定手段３３からの入退出許可信号を受けて、所定の入退出ドア１〜３のドアを開閉する。またドア開閉判定手段４１は、入退出に関するすべてのデータを入退出ログ蓄積手段４２に記録する。
【００１９】
図１に示されるハードウエア構成は、当該機能を実現する手段であれば、どのような回路または装置であってもよく、また機能の一部をソフトウエアで実現することも可能である。更に機能の実現手段を、複数の回路によって実現してもよく、複数の機能を単一の装置で実現してもよい。
【００２０】
図３ａ、ｂは、入退出管理方法の処理の流れを示すフローチャートである。入所において、ＩＤカードリーダによりＩＤカードの認証データを読み取る（ステップ２００）。記憶ディスクからＩＤ番号に相当する認証データを読み出し、ＩＤカードの認証データとの照合を取る（ステップ２０２）。入所許可の判定により入所許可であれば、入所許可信号を出力し、入所不許可であれば、入所不許可を表示する（ステップ２０４、ステップ２０６）。次に撮影装置または無線装置から所定の服装データを取得する（ステップ２０８）。記憶ディスクから入所許可区分別服装のデータを読み出し、服装データとの照合を取る（ステップ２１０）。指定された服装を着用しているかを判定し、入所許可であれば、入所許可信号を出力し、入所不許可であれば、入所不許可を表示する（ステップ２１２、ステップ２１４）。入所認証判定と服装判定との入退出許可信号を受けて、所定の入退出ドアを開閉する（ステップ２１６）。また入退出ログを記録する（ステップ２１８）。
【００２１】
退所において、退所認証読み取り手段であるＩＤカードリーダによりＩＤカードの認証データを読み取る（ステップ２２０）。記憶ディスクから認証データを読み出し、読み取られた認証データとの照合を取る（ステップ２２２）。退所許可の判定により退所許可であれば、退所許可信号を出力し、退所不許可であれば、退所不許可を表示する（ステップ２２４、ステップ２２６）。次に撮影装置により、所定の保管設備及び処理設備の安全点検箇所である電源スイッチ、照明、バルブ操作位置、ＰＣＢ混入の貯蔵油タンクの油量等を撮影し、撮影データを取得する（ステップ２２８）。安全点検情報情報を読み出し、撮影データとの照合を取る（ステップ２３０）。撮影データを記憶ディスクに記録する（ステップ２３２）。退出可能かを判定により退所許可であれば、退所許可信号を出力し、退所不許可であれば、該当する設備に警報を表示する（ステップ２３４、ステップ２３６）。安全点検判定の入退出許可信号を受けて、所定の入退出ドアを開閉する（ステップ２２８）。また入退出ログを記録する（ステップ２４０）。認証データ、服装認識情報、入退出ログ、安全点検情報及び撮影データの必要があれば、ディスプレイ及びキーボードから成るデータ表示装置のキーボードから入力される指示に従い、所望のデータを表示する（ステップ２４２、ステップ２４４）。表示の必要がなければジョブを終了する（ステップ２４６）。
【００２２】
図３ａ、ｂに示される入退出管理方法の処理の流れは、当該機能を実現する処理の流れであればどのようなフローであってもよく、特に制限されるものではない。以上説明したように本発明によれば、ＰＣＢが混入した受・配電用電気機器の保管・処理施設において、ＰＣＢ混入品の安全保管と、その処理を実施する上で、対象機器の分解、解体およびＰＣＢの処理に伴う安全作業をする入退出管理システム及びその方式を提供できる。又退所時に監視室に立ち寄り、安全作業の終了を示すデータを都度入手することも可能である。
【図面の簡単な説明】
【００２３】
【図１】本発明の入退出管理システムのハードウエア構成を示すブロック図。
【図２】危険物取り扱い作業を行うため必要なＩＤ情報を示す図。
【図３ａ】本発明による入退出管理方法の処理の流れを示すフローチャート。
【図３ｂ】本発明による入退出管理方法の処理の流れを示すフローチャート。
【符号の説明】
【００２４】
１，２，３  入退出ドア
１０  入所許可装置
１１  入所認証読み取り手段
１２  入所認証判定手段
１３  認証データ蓄積手段
１４  データ表示手段
２０  区分別服装判定装置
２１  服装データ取得手段
２２  服装判定手段
２３  服装認識情報蓄積手段
３０  退所許可装置
３１  退所認証読み取り手段
３２  設備撮影手段
３３  安全点検判定手段
３４  安全点検情報蓄積手段
３５  撮影データ蓄積手段
４０  入退出ドア装置
４１  ドア開閉判定手段
４２  入退出ログ蓄積手段
１００  入退出管理システム
ａ，ｂ，ｃ，ｄ  保管・処理室
Ａ，Ｂ，Ｄ  入所許可区分
【図１】
2006318314.tif 000003
【図２】
2006318314.tif 000004
【図３ａ】
2006318314.tif 000005
【図３ｂ】
2006318314.tif 000006